(57)【特許請求の範囲】
【請求項１】
化粧用パウダーが収容される空間部を有する容器本体と、
前記容器本体の上端に対して結合部が結合支持され、底部に形成されたパウダー排出孔には結合リングで固定される網が備えられたショルダーキャップと、
前記ショルダーキャップに対して一方に備えられたヒンジ部を中心に開閉操作され、パフを収納するための収納部が形成され、底部の下部には前記パウダー排出孔を遮断するためのリング状パッキンが備えられたパフ収納キャップと、
前記容器本体に対して螺合方式で開閉操作されると同時に前記容器本体に対する螺合時に前記パフ収納キャップを押圧してその下部のリング状パッキンが前記ショルダーキャップの前記パウダー排出孔を強制的に押圧密閉するように構成された上部キャップと、
を備えるパフ内蔵型化粧用パウダー容器であって、
前記容器本体の空間部の内周面には密閉段部を形成し、前記ショルダーキャップの側壁外周面には密閉羽根が対応するように形成して前記容器本体に対する前記ショルダーキャップの結合時に前記密閉羽根が前記密閉段部に弾性的に気密結合されるように構成し、前記パフ収納キャップのヒンジ部を構成する回動部には前記ショルダーキャップのピン固定部に一端部が締まり嵌めで嵌合されたピンの他端部が上下に遊動する遊動空間を設け、前記上部キャップの閉操作時に前記パフ収納キャップが前記遊動空間を通じて下部に押されながら前記ショルダーキャップの前記パウダー排出孔を押圧密閉するように構成され、
前記リング状パッキンは、前記ショルダーキャップの底部の上面を押圧密着する上面押圧部と、前記パウダー排出孔の内側を押圧密着する側面押圧部とから構成され、前記パウダー排出孔が少なくとも２箇所で気密されるようにすることを特徴とする、
パフ内蔵型化粧用パウダー容器。
【請求項２】
前記容器本体の上端内周面には前記密閉段部に続く傾斜案内面をさらに備え、
前記ショルダーキャップの組立時に、これに備えられた前記密閉羽根の進入操作が容易に行われるように構成されることを特徴とする、
請求項１に記載のパフ内蔵型化粧用パウダー容器。
【請求項３】
前記パフ収納キャップの上面には、前記上部キャップの螺合時に前記パフ収納キャップが均一に押圧されるようにするための押圧突出部がさらに形成されることを特徴とする、請求項１に記載のパフ内蔵型化粧用パウダー容器。
【請求項４】
前記容器本体と前記ショルダーキャップは、上端外側及び結合部の内周面にそれぞれ形成された係止段部の係止作用によって任意的な離脱が防止されるように構成されることを特徴とする、請求項１に記載のパフ内蔵型化粧用パウダー容器。
【請求項５】
前記容器本体及び前記ショルダーキャップに備えられる前記密閉段部及び前記密閉羽根は下端へ拡管される形態で構成されることを特徴とする、請求項１に記載のパフ内蔵型化粧用パウダー容器。
【請求項６】
化粧用パウダーが収容される空間部を有する容器本体と、
前記容器本体の上端に対して結合部が結合支持され、底部に形成されたパウダー排出孔には結合リングで固定される網が備えられたショルダーキャップと、
前記ショルダーキャップに対して一方に備えられたヒンジ部を中心に開閉操作され、パフを収納するための収納部が形成され、底部の下部には前記パウダー排出孔を遮断するためのリング状パッキンが備えられたパフ収納キャップと、
前記容器本体に対して螺合方式で開閉操作されると同時に前記容器本体に対する螺合時に前記パフ収納キャップを押圧してその下部のリング状パッキンが前記ショルダーキャップの前記パウダー排出孔を強制的に押圧密閉するように構成された上部キャップと、
を備えるパフ内蔵型化粧用パウダー容器であって、
前記容器本体の空間部の内周面には密閉段部を形成し、前記ショルダーキャップの側壁外周面には密閉羽根が対応するように形成して前記容器本体に対する前記ショルダーキャップの結合時に前記密閉羽根が前記密閉段部に弾性的に気密結合されるように構成し、前記パフ収納キャップのヒンジ部を構成する回動部には前記ショルダーキャップのピン固定部に一端部が締まり嵌めで嵌合されたピンの他端部が上下に遊動する遊動空間を設け、前記上部キャップの閉操作時に前記パフ収納キャップが前記遊動空間を通じて下部に押されながら前記ショルダーキャップの前記パウダー排出孔を押圧密閉するように構成され、
前記容器本体の内側縁に段部をさらに形成し、前記段部には前記ショルダーキャップの下端円周上に結合されたリング状パッキンが密着するようにして二重に気密結合されるように構成されることを特徴とする、パフ内蔵型化粧用パウダー容器。
【発明の詳細な説明】
【技術分野】
【０００１】
本発明は、ショルダーキャップに備えられた網をパフで押して化粧を行うようにするパフ内蔵型化粧パウダー容器に関し、さらに詳しくは、優れた気密性及び商品性を提供するようにしたパフ内蔵型化粧用パウダー容器に関する。
【背景技術】
【０００２】
一般に、パウダーまたは水分含有化粧用パウダータイプの化粧品はパウダー容器に収納される。
【０００３】
このような従来パウダー容器は、内部空間部に粉末または水分含有粉末のパウダーを収納する容器本体と、前記容器本体の上部結合部に螺合される上部キャップとを含み、前記上部キャップを開放した後、パウダーをブラシやパフ（ｐｕｆｆ）などの化粧道具につけて肌に叩きつけたりなじませたりして使用される。
【０００４】
しかし、前記従来のパウダー容器は、化粧道具にパウダーを直接つけて使用するので、パウダーが塊状について使用に大きな支障があった。
【０００５】
これを解決するために、従来、韓国実用新案公開第１９９９−０００７７号公報においては、容器本体の上部に、中央通孔に弾性力のある網を取り付けたショルダーキャップを内挿されるように固着設置することにより、化粧道具をパウダーに直接接触させるのではなく、網を弾性的に押すことによってパウダーをつけて使用するため、前記網によってパウダーが化粧道具に塊状につくことを防止し、またパウダーを均一につけて効果的に使用できるようにした。
【０００６】
しかし、前記従来技術は、前記容器本体の上部に結合されたショルダーキャップの中央通孔が網状に形成されているため、パウダーが前記網を通じて外部に漏出して損失する問題と共に、パウダーが化粧品容器の携帯空間を汚染させるなどの問題点があった。さらに、それだけでなく、前記パウダーが水分を含んだ場合に気密性を確保できないので、パウダーが容易に変質するなどの問題点があった。
【０００７】
かかる点を勘案して、本願の出願人は、前記従来技術の問題点を解決するために、韓国特許登録第１０−１０７３４３６号の「化粧用パウダー容器」を先出願して登録を受けた。これは、前記上部キャップの下部面にショルダーキャップの網部分を気密遮断するための気密部材を結合したものであり、これにより従来技術の問題点を解決した。
【発明の概要】
【発明が解決しようとする課題】
【０００８】
しかしながら、前述した先出願の技術は、パウダー容器の内部にパフなどの化粧道具が内蔵されていない形態に限定して適用可能であるという問題点があった。
【０００９】
すなわち、従来は、韓国実用新案登録第２０−３２２３０９号のように、網付きショルダーキャップの上部に、パフを収容するパフ収納キャップが固着された場合、ショルダーキャップの網部分に対する気密を確保することが困難であり、そのため、パウダーが網を通じて外部に漏出して損失する問題と、パウダーが化粧品容器の携帯空間を汚染させる問題と、前記パウダーに水分が含まれた場合に気密性を確保できないのでパウダーが容易に変質するなどの問題を依然として持っていた。
【００１０】
そこで、本発明は、前記従来技術及び本出願人の先出願技術が有する諸般の問題点を解決するためになされたもので、その目的は、容器本体の上部に網が結合されたショルダーキャップが密閉羽根によって気密結合され、前記ショルダーキャップの上部にはパフが内蔵されるパフ収納キャップが上部キャップの螺合時に人為的に押されながら、これに形成されたリング状パッキンがショルダーキャップの網に備えられたパウダー排出孔を気密遮断することで、化粧用パウダーの携帯使用ができ、優れた気密性の維持確保を通じて化粧用パウダーの漏出や漏洩を防止し、また水分蒸発の防止により品質を長く維持するようにしたパフ収納型化粧用パウダー容器を提供することにある。
【課題を解決するための手段】
【００１１】
上記の課題を解決するための本発明によるパフ収納型化粧用パウダー容器は、化粧用パウダーが収容される空間部を有する容器本体と、前記容器本体の上端に対して結合部が結合支持され、底部に形成されたパウダー排出孔には結合リングで固定される網が備えられたショルダーキャップと、前記ショルダーキャップに対して一方に備えられたヒンジ部を中心に開閉操作され、パフを収納するための収納部が形成され、底部の下部には前記パウダー排出孔を遮断するためのリング状パッキンが備えられたパフ収納キャップと、前記容器本体に対して螺合方式で開閉操作されると同時に前記容器本体に対する螺合時に前記パフ収納キャップを押圧してその下部のリング状パッキンが前記ショルダーキャップの前記パウダー排出孔を強制的に押圧密閉するように構成された上部キャップとを備えるパフ内蔵型化粧用パウダー容器であって、前記容器本体の空間部の内周面には密閉段部を形成し、前記ショルダーキャップの側壁外周面には密閉羽根が対応するように形成して前記容器本体に対する前記ショルダーキャップの結合時に前記密閉羽根が前記密閉段部に弾性的に気密結合されるように構成し、前記パフ収納キャップのヒンジ部を構成する回動部には前記ショルダーキャップのピン固定部に一端部が締まり嵌めで嵌合されたピンの他端部が上下に遊動する遊動空間を設け、前記上部キャップの閉操作時に前記パフ収納キャップが前記遊動空間を通じて下部に押されながら前記ショルダーキャップの前記パウダー排出孔を押圧密閉するように構成されることを特徴とする。
【００１２】
本発明によれば、前記容器本体の上端内周面には前記密閉段部に続く傾斜案内面をさらに備え、前記ショルダーキャップの組立時に、これに備えられた前記密閉羽根の進入操作が容易に行われるように構成することが好ましい。
【００１３】
本発明によれば、前記リング状パッキンは、前記ショルダーキャップの底部上面を押圧密着する上面押圧部と、前記パウダー排出孔の内側を押圧密着する側面押圧部とから形成されることが好ましい。
【００１４】
本発明によれば、前記パフ収納キャップの上部には、前記上部キャップの螺合時に前記パフ収納キャップが均一に押圧されるようにするための押圧突出部がさらに形成されることが好ましい。
【００１５】
本発明によれば、前記容器本体と前記ショルダーキャップは、上端外側及び結合部の内周面にそれぞれ形成された係止段部の係止作用によって任意的な離脱が防止されるように構成されることが好ましい。
【００１６】
本発明によれば、前記容器本体及び前記ショルダーキャップに備えられる前記密閉段部及び前記密閉羽根は下端へ拡管される形態で構成されることが好ましい。
【００１７】
本発明によれば、前記容器本体の内側縁に段部をさらに形成し、前記段部には前記ショルダーキャップの下端円周上に結合されたリング状パッキンが密着するようにして、二重に気密作用が行われるように構成することが好ましい。
【発明の効果】
【００１８】
本発明によれば、容器本体の上部に結合されるショルダーキャップとの間が密閉段部及び密閉羽根によって気密結合され、ショルダーキャップに形成されたパウダー排出孔は上部キャップの螺合時にヒンジ部の構成を通じてパフ収納キャップが下側に強制押圧されながらパフ収納キャップに備えられたリング状パッキンによって弾性的に密着支持されながら気密が実現されるため、容器本体の空間部に収容された化粧用パウダーの漏出や漏洩の恐れがなく、パウダーに含まれた水分の蒸発も防止されて製品の変質を防止しながらも衛生的な使用や携帯が可能となる効果を提供するようになる。
【００１９】
また、容器本体の段部及びこれに気密結合されるリング状パッキンの構成を通じて容器本体の空間部に収容された化粧用パウダーが密閉段部及び密閉羽根と共に二重に気密されるため、さらに優れた気密効果を提供するようになる。
【図面の簡単な説明】
【００２０】
【図１】本発明の外観の斜視図である。
【図２】本発明の分離斜視図である。
【図３】本発明の分離断面図である。
【図４】本発明の結合断面図である。
【図５】図４の「Ａ」部分の拡大図である。
【図６】図４の「Ｂ」部分の拡大図である。
【図７】図４の「Ｃ」部分の拡大図である。
【図８】本発明のヒンジ部でピンの組立構造を示した抜粋断面図である。
【図９】本発明の化粧用パウダーをパフにつけて使用する状態を示した断面である。
【図１０】本発明の他の実施例を示す結合断面図である。
【図１１】図１０の「Ｄ」部分の拡大図である。
【発明を実施するための形態】
【００２１】
以下に添付図面を参照しながら、本発明による好適な実施例をより具体的に説明する。
【００２２】
本発明によるパフ内蔵型化粧用パウダー容器は、大きく、図１から図８に示すように、容器本体１０、ショルダーキャップ２０、パフ収納キャップ３０及び上部キャップ４０から構成される。
【００２３】
容器本体１０は、一方に開放するように形成され、所定の深さの空間部１２を有する。空間部１２の内周底面１２ａは、ほぼ中央に向かって内容物が互いに集められるように湾曲形態をなしている。前記空間部には化粧用パウダー（ｐｏｗｄｅｒ）や、水分が含まれたタイプの化粧用パウダー（以下、「化粧用パウダー」という）が収納される。そして、空間部１２の上端外周面には螺合のための雄ネジ１１が形成されている。また、空間部１２の上端外周面には係合のための係止段部１３が形成されており、上端内周面には、下側に狭くなる形態の傾斜案内面１４が形成されている。また、空間部１２の内周面には密閉結合のための密閉段部１５が内側に段が付けられて形成されている。
【００２４】
ショルダーキャップ２０は、その底部２１が前記容器本体１０の内部に進入する状態で結合されるものであって、その上端には、前記容器本体１０の上端に挟まれる結合部２２が備えられている。前記結合部には、容器本体に備えられた係止段部１３に相互係止される係止段部２３が対応するように形成されている。そして、結合部２２の下端外周面には、前記容器本体１０の空間部１２の内周面に形成された密閉段部１５に弾性的に気密結合される密閉羽根２４が形成されている。密閉羽根２４は、密閉段部１５に対応する形態を有すればよく、好ましくは、密閉段部１５及び密閉羽根は下端がさらに拡管される形態であって、これにより緊張結合及び気密作用が容易に行われるように構成されることが好ましい。
【００２５】
また、容器本体１０との結合時に空間部１２の内部に進入するショルダーキャップの底部２１にはパウダー排出孔２５が形成されている。パウダー排出孔２５は伸縮性網２６によって覆われており、この網においてはその縁部が結合リング２７によって離脱しないように固定されている。前記結合リング２７は、通常、超音波接着方式によってショルダーキャップ２０の底部２１の下部に一体に固定され、前記網２６が下部に押されてもその緊張力を維持しながらも常に安全に固定支持する。
【００２６】
パフ収納キャップ３０は、底部３１がショルダーキャップ２０の内部に収容される状態で一方のヒンジ部３３を中心に開閉可能に固着支持され、パフ５０を収納するための収納部３２が提供される。ヒンジ部３３は、前記ショルダーキャップ２０の一方の両側に分割されたピン固定部３４と、前記パフ収納キャップ３０の一方に形成され、前記ピン固定部３４同士の間に介在される回動部３５とから構成され、前記ピン固定部にはピン３６の一端部が締まり嵌めで内嵌固定されるピン固定溝３４ａが同軸上に貫通形成されており、前記回動部には前記ピン固定部のピン固定溝に内嵌されたピンの他端部がすきま嵌めで内嵌される遊動空間３５ａが形成されている。そして、ヒンジ部３３が備えられた他側には開閉つまみ３７が形成されており、またパフ収納キャップの上面には押圧突出部３８が形成されている。
【００２７】
一方、パフ収納キャップ３０の底部３１の下部には、前記ショルダーキャップ２０のパウダー排出孔２５を遮断するためのシリコーンゴムなどの弾性素材からなるリング状パッキン３９が備えられている。前記リング状パッキン３９は、通常、インサート方式によって一体で射出成形されることが好ましいが、必要に応じて、分離可能に組立方式によって結合されてもよい。
【００２８】
リング状パッキン３９は、ショルダーキャップのパウダー排出孔２５が形成された底部２１の上面を押圧密着するための上面押圧部３９ａと、パウダー排出孔２５の内周面を押圧密着するための側面押圧部３９ｂとをそれぞれ備えて、パフ収納キャップ３０の閉操作時にショルダーキャップ２０のパウダー排出孔２５が少なくとも２箇所で気密されるようにして、前記パウダー排出孔を通じて容器本体に収容された化粧用パウダーが漏出あるいは漏洩することがないように構成されることが好ましい。
【００２９】
上部キャップ４０は、パウダー容器の携帯保管時に容器本体１０の上端外周面に形成された雄ネジ１１に対して、内周壁面に形成された雌ねじ４１が相互螺合方式によって閉じられ、また化粧用パウダーを用いた化粧の際に螺合を解除することによって開放されるのである。上部キャップ４０の内部には、パウダー化粧時に片手で持って化粧状態を見られるようにするための鏡４２が取り付けられている。また、前記上部キャップ４０は、特に、閉操作時にパフ収納キャップ３０を押圧する作用も行う。
【００３０】
前述のように構成される本発明によるパフ内蔵型化粧用パウダー容器に対する化粧用パウダーの収納及び組立状態について、図３から図８を参照して説明する。
【００３１】
まず、容器本体１０の空間部１２に化粧用パウダーＰを収納した後、その上部にショルダーキャップ２０を気密結合する。これをさらに詳細に説明すると、容器本体１０に対してショルダーキャップ２０を空間部１２の上部に位置させた後、ショルダーキャップの結合部２２を容器本体の上端に位置させてから押し挟む。そのため、前記ショルダーキャップの結合部は容器本体の上端に嵌合される。そして、前記ショルダーキャップ２０の結合時に、ショルダーキャップの側壁外周面に形成された密閉羽根２４は、容器本体１０の空間部１２の上端内周面に形成された傾斜案内面１４に沿って下がりながら内側に引っ込められるようになる。これは、密閉羽根２４の外径が前記傾斜案内面１４の内径よりも外側に拡張した形態をなしていることによる。そして、前記傾斜案内面１４に沿って内側に引っ込められる状態で押されて下がった密閉羽根は、容器本体１０の空間部１２内周面に対応するように形成された密閉段部１５に至りながら自身の弾性力で復帰すると同時に前記密閉段部１５に相互弾性的に気密結合される。これにより、容器本体１０とショルダーキャップ２０は１次的に気密結合される。
【００３２】
したがって、ショルダーキャップ２０に備えられた密閉羽根２４及び容器本体の空間部１２の内周面に対応するように形成された密閉段部１５の相互気密結合によって、容器本体１０の空間部１２の上端を通じて空間部１２の化粧用パウダーＰが漏出または漏洩することが防止される。また、ショルダーキャップ２０は結合部２２に備えられた係止段部２３が容器本体１０の上端に形成された係止段部１３に相互係止方式で弾性係止されることにより、任意的な離脱や分離が防止されて、安定した結合状態を維持するようになる。
【００３３】
前述した状態でショルダーキャップ２０の内部にパフ収納キャップ３０を位置させると、底部３１に備えられたリング状パッキン３９によってショルダーキャップ２０のパウダー排出孔２５が予備的に遮断される。すなわち、前記パフ収納キャップ３０を単純に一方のヒンジ部３３を用いて底部３１がショルダーキャップ２０の内部に位置するように回転操作した場合には、パフ収納キャップがショルダーキャップに結合されていても強い密着力を提供されていない状態である。したがって、パウダー排出孔２５は底部２１の下部に備えられたリング状パッキン３９の上面押圧部３９ａ及び側面押圧部３９ｂによって底部２１の上面及びパウダー排出孔２５の内周面の側面と予備的に接触している状態を維持している。
【００３４】
このような状態で最終的に容器本体１０の上端の雄ネジ１１に対して上部キャップ４０の雌ねじ４１を互いに螺合すると、前記上部キャップの螺合力によって、パフ収納キャップ３０は容器本体１０に対して完全に締め付けられる。このような過程で、パフ収納キャップ３０の上面に形成された押圧突出部３８は上部キャップ４０の内周面に接触しながら均等に押圧される。したがって、パフ収納キャップ３０は、前記押圧突出部３８が強制的に押圧されることによってその押圧距離だけ下側に移動し、このような押圧移動を通じて、パフ収納キャップ３０の底部３１の下部に形成されたリング状パッキン３９も、弾性素材の特性上、強い圧迫を受けるようになり、これに備えられた上面押圧部３９ａによって、パウダー排出孔２５が形成されたショルダーキャプ２０の上面が押圧密着され、これと同時に側面押圧部３９ｂによってパウダー排出孔２５の側面が押圧密着される。したがって、前記ショルダーキャップ２０に備えられたパウダー排出孔２５は、リング状パッキン３９の押圧密着力を通じて遮断されることにより、容器本体１０の空間部１２に収容された化粧用パウダーＰの漏出や漏洩が防止される。
【００３５】
一方、前記パフ収納キャップ３０の押圧時、パフ収納キャップは図８のようにヒンジ部３３の回動部３５に形成された遊動空間３５ａを通じてピン３６から離脱することなく下側に安全に移動して押圧される。そして、押圧力が解除されると、リング状パッキン３９の弾性復元力によって再び前記遊動空間３５ａの範囲内でピン３６を中心に上側に移動する。
【００３６】
前記パフ収納キャップ３０は、一方がヒンジ部３３を通じてショルダーキャップ２０に連結構成されており、任意的な離脱や紛失のおそれが全くない。
【００３７】
したがって、上述のように組立構成される本発明によるパフ収納型化粧用パウダー容器によれば、容器本体１０の空間部１２に収容される化粧用パウダーＰは、容器本体の空間部の内周面に形成された密閉段部１５に対してショルダーキャップ２０の密閉羽根２４が相互緊張結合されることによって密閉され、且つ上部キャップ４０の螺合時にパフ収納キャップ３０が強制的に押されながらその底部３１の下部に備えられたリング状パッキン３９がショルダーキャップ２０のパウダー排出孔２５を遮断する組立構造によって、容器本体１０の上面またはショルダーキャップ２０のパウダー排出孔２５を介しての外部への漏出や漏洩が許容されなくなる。このような理由から、化粧用パウダーの損失を防止しながら衛生的な使用や携帯が可能となる。
【００３８】
一方、前述した状態で容器本体１０に収容された化粧用パウダーＰを使用しようとする場合には、図９のように上部キャップ４０を取り除いた後、パフ収納キャップ３０からパフ５０を取り出し、開閉つまみ３７を用いてパフ収納キャップを、ヒンジ部３３を中心にショルダーキャップ２０の一方に開放した後、片手でパフ５０を持った状態でショルダーキャップ２０のパウダー排出孔２５に備えられた網２６を押して容器本体の空間部１２の化粧用パウダーＰを適量つけて化粧を行えばよい。パフＰによって押される網２６は、伸縮性素材からなっているため、容器本体１０の空間部１２の底面まで充分に触れることができる弾発力を有し、また結合リング２７で固定されているため破裂や離脱せずに化粧用パウダーをつけて使用するのに何ら問題を生じさせない。
【００３９】
本発明によるパフ収納型化粧用パウダー容器は、図１０及び図１１に示されたように、容器本体１０の空間部１２の内側に段部１５を突設し、前記段部にショルダーキャップ２０の底部２１の下部円周上に結合されたリング状パッキン６０が２次的に密着するように構成することもできる。その他の説明しない残りの構成は図１から図９に示して説明したとおりである。
【００４０】
前記段部１５及びリング状パッキン６０の２次気密結合構成によって、前記容器本体１０とショルダーキャップ２０との間はさらに気密遮断され、容器本体１０の空間部１２に収容された化粧用パウダーの外部漏出や漏洩が顕著に防止されるのはもちろんのこと、水分が含まれた化粧用パウダーの場合は水分蒸発も確実に防止される。
【００４１】
以上、本発明の実施例について説明の目的で開示したが、当業者であれば、添付した請求の範囲に開示された本発明の精神と範囲から逸脱することなく、様々な変形、追加および置換を加え得ることを理解するであろう。
【図１】
0006326145.tif 000002
【図２】
0006326145.tif 000003
【図３】
0006326145.tif 000004
【図４】
0006326145.tif 000005
【図５】
0006326145.tif 000006
【図６】
0006326145.tif 000007
【図７】
0006326145.tif 000008
【図８】
0006326145.tif 000009
【図９】
0006326145.tif 000010
【図１０】
0006326145.tif 000011
【図１１】
0006326145.tif 000012